(57)【要約】      （修正有）【課題】高精度の流量の輸液を確実に行うことができ、また、使用コストが低く且つ廃棄物が嵩張らない、輸液装置を提供する。【解決手段】位置決め具２５、３１が輸液チューブセットを位置決めしている状態にあることをマイクロスイッチ８３及び光センサの両方が検出している場合にのみ、制御手段が蠕動ポンプ６４を作動させる。従って、輸液チューブ２６が規定断面積になっており且つ蠕動ポンプ６４からポンプ作用を確実に施され得る状態でのみ輸液が行われ得る。また、位置決め具２５、３１があればよく、輸液チューブセットをカセット構造にする必要がないので、使用後の廃棄部分の構造が簡単で且つ容積も小さい。【選択図】図１
2007236597.tif 000002
【特許請求の範囲】
【請求項１】
輸液チューブのうちで輸液ポンプに沿って延在する被作用部分に前記輸液ポンプがポンプ作用を施して輸液を行う輸液装置において、
前記被作用部分を規定張力の非弛緩状態にして前記輸液チューブのうちで前記被作用部分よりも上流側及び下流側の第一及び第二の部分を前記輸液ポンプよりも上流側及び下流側の第一及び第二の位置に夫々位置決めするための第一及び第二の位置決め手段と、
これら第一及び第二の位置決め手段が前記位置決め状態にあることを夫々検出する第一及び第二の検出手段と、
これら第一及び第二の検出手段の両方によって前記検出が行われている場合にのみ前記輸液ポンプを作動させる制御手段と
を具備する輸液装置。
【請求項２】
前記輸液の開始操作が行われたときに前記第一及び第二の検出手段の両方によっては前記検出が行われていない場合に前記制御手段が作動させる警告手段を更に具備する請求項１に記載の輸液装置。
【発明の詳細な説明】
【技術分野】
【０００１】
本発明は、輸液チューブのうちで輸液ポンプに沿って延在する被作用部分に輸液ポンプがポンプ作用を施して輸液を行う輸液装置に関するものである。
【背景技術】
【０００２】
電解質輸液、栄養輸液、代用血漿輸液、薬剤輸液等を血管内、皮下、腹腔内等に投与する輸液は医療機関で頻繁に行われており、輸液を高精度の流量で行う必要がない場合には、輸液チューブの途中に設けられている手動のロールクランプによって流量が制御される。これに対して、薬剤を単位時間当たり微量ずつ投与する場合等の様に輸液を高精度の流量で行う必要がある場合には、蠕動ポンプ等の輸液ポンプを備える輸液装置によって輸液が行われる。
【０００３】
しかし、輸液装置を使用しても、輸液チューブが輸液装置に正常には装着されなくて、輸液チューブが輸液ポンプを迂回していたりするために、輸液ポンプからのポンプ作用が輸液チューブに施されなければ、輸液が輸液チューブ中を自由落下する所謂フリーフローが生じて、輸液が過剰に投与される。また、輸液チューブが過度に伸長されてその断面積が規定値未満になっている状態で輸液チューブが輸液装置に装着されていると、輸液が過少にしか投与されない。
【０００４】
そこで、輸液チューブをカセットに組み込んでこのカセットを輸液装置に装着することによって、輸液チューブが輸液装置に正常には装着されないことを防止することが考えられている（特許文献１、特許文献２）。また、輸液チューブの誤装着を検出するための感圧センサを蠕動ポンプの両側に設けたり（特許文献３）、蠕動ポンプによる押圧力をシート状の感圧センサで検出したり（特許文献３）することも考えられている。
【特許文献１】特開２００４−１４１４１８号公報
【特許文献２】特開２００４−２３６６９５号公報
【特許文献３】特許第３３２０１７９号公報
【発明の開示】
【発明が解決しようとする課題】
【０００５】
しかし、輸液チューブをカセットに組み込んでこのカセットを輸液装置に装着する輸液装置（特許文献１、特許文献２）では、もしカセットが輸液装置に正常に装着されなければ輸液チューブも輸液装置に正常には装着されず、また、カセットが輸液装置に正常に装着されたことを検出する検出手段もこれらの輸液装置に備えられていない。従って、これらの輸液装置では、高精度の流量の輸液を確実に行うことは困難である。しかも、輸液チューブは衛生上の観点から使い捨て式であるが、カセットの構造が複雑で且つ容積も大きいので、使用後にカセットごと廃棄するこれらの輸液装置では、使用コストが高く且つ廃棄物が嵩張る。
【０００６】
また、輸液チューブの誤装着を検出するための感圧センサを蠕動ポンプの両側に設けた輸液装置（特許文献３）では、輸液チューブの誤装着を検出するのであって輸液チューブの正常装着を検出するのではないので、誤装着の検出漏れがあれば正常装着であると見なされる。また、蠕動ポンプによる押圧力をシート状の感圧センサで検出する輸液装置（特許文献３）では、輸液の開始後でなければ輸液チューブの正常装着を検出することができない。従って、これらの輸液装置でも、高精度の流量の輸液を確実に行うことは困難である。
【課題を解決するための手段】
【０００７】
請求項１に係る輸液装置では、第一及び第二の位置決め手段が輸液チューブの第一及び第二の部分を夫々位置決めしていれば、輸液チューブの被作用部分が非弛緩状態で輸液ポンプよりも上流側と下流側との間に延在している。このため、輸液チューブの被作用部分が輸液ポンプを迂回したりしておらず、被作用部分が輸液ポンプからポンプ作用を確実に施され得る状態にある。しかも、第一及び第二の位置決め手段が輸液チューブの第一及び第二の部分を夫々位置決めしていれば、輸液チューブの被作用部分が規定張力の非弛緩状態にある。このため、輸液チューブの被作用部分に印加されている張力が過剰であることがなく、輸液チューブの被作用部分が過度に伸長されてその断面積が規定値未満であることがない。
【０００８】
更に、第一及び第二の位置決め手段が輸液チューブの夫々第一及び第二の部分を位置決めしている状態にあることを第一及び第二の検出手段の両方が検出している場合にのみ、制御手段が輸液ポンプを作動させる。従って、輸液チューブの被作用部分が規定断面積になっており且つ輸液ポンプからポンプ作用を確実に施され得る状態でのみ輸液が行われ得る。また、第一及び第二の位置決め手段があればよく、輸液チューブをカセット構造にする必要がないので、使用後の廃棄部分の構造が簡単で且つ容積も小さい。
【０００９】
請求項２に係る輸液装置では、輸液の開始操作が行われたときに第一及び第二の検出手段の両方によっては上記の検出が行われていない場合に制御手段が警告手段を作動させるので、輸液チューブの被作用部分が規定断面積になっていないかまたは輸液ポンプからポンプ作用を確実に施され得る状態になっていないことを操作者が直ちに知ることができる。
【発明の効果】
【００１０】
請求項１に係る輸液装置では、輸液チューブの被作用部分が規定断面積になっており且つ輸液ポンプからポンプ作用を確実に施され得る状態でのみ輸液が行われ得るので、輸液チューブ中のフリーフローによる輸液の過剰投与や過小断面積の輸液チューブによる輸液の過少投与が防止されて、高精度の流量の輸液を確実に行うことができる。また、使用後の廃棄部分の構造が簡単で且つ容積も小さいので、使用コストが低く且つ廃棄物が嵩張らない。
【００１１】
請求項２に係る輸液装置では、輸液チューブの被作用部分が規定断面積になっていないかまたは輸液ポンプからポンプ作用を確実に施され得る状態になっていないことを操作者が直ちに知ることができるので、高精度の流量の輸液を更に確実に行うことができる。
【発明を実施するための最良の形態】
【００１２】
以下、図１〜９を参照しながら、本発明の一実施形態の輸液装置を説明する。図８が、本実施形態の輸液装置の全体の外観を示している。この輸液装置１１の筐体１２には持ち運び用の把手１３と四本の脚部１４と扉１５とが設けられており、扉１５の外面には液晶パネル等の表示部１６と押しボタン等の操作部１７と扉１５の開閉ラッチ機構のためのラッチレバー１８とが設けられている。
【００１３】
図９は、輸液装置１１で用いられる輸液チューブセット２１を示している。この輸液チューブセット２１は、ビン針２２付きの点滴筒２３、輸液チューブ２４、位置決め具２５、輸液チューブ２６、位置決め具３１、輸液チューブ３２、ロールクランプ３３、チューブ接続具３４、輸液チューブ３５、及び翼付き針３６が順次に接続されることによって構成されている。ビン針２２は輸液が収容されて上下を逆転されている状態の輸液収容ビン（図示せず）の栓（図示せず）に下方から差し込まれ、翼付き針３６は患者等の被輸液者の血管内等に差し込まれる。図８では、輸液チューブセット２１のうちで輸液チューブ２４、３２が輸液装置１１内から外方へ延びている。
【００１４】
図２に示されている様に、位置決め具２５では、開口端部４１、鍔部４２、小径部４３、鍔部４４、リブ付き部４５、及び開口端部４６が順次に連なる様に一体成形されており、開口端部４１、４６に輸液チューブ２４、２６が夫々接続されている。図９に示されている様に、位置決め具３１では、一対の本体部５１、５２が互いに一体的に組み立てられており、これらの本体部５１、５２に摺動片５３が摺動可能に挿入されている。図３に示されている様に、本体部５１、５２同士の間に接続筒５４が挟持されており、接続筒５４には開口端部５５、５６が設けられている。
【００１５】
位置決め具３１の本体部５１、５２には、夫々円筒の半割れ部分及び四分の一割れ部分が形成されることによって両方で周囲の２７０°の部分にのみ壁面が形成されている筒部５７が形成されている。摺動片５３には輸液チューブ３２の外径よりもやや大きい内径の円開口５８とこの円開口５８に続く幅の狭い溝開口５９とが形成されている。接続筒５４と筒部５７とは常に同軸状であり、摺動片５３の摺動によって、摺動片５３の円開口５８が接続筒５４及び筒部５７と同軸状になることも、摺動片５３の溝開口５９が接続筒５４及び筒部５７の軸心と並ぶこともできる。輸液チューブ２６は接続筒５４の開口端部５５に接続されており、輸液チューブ３２は筒部５７と摺動片５３の円開口５８または溝開口５９とを介して接続筒５４の開口端部５６に接続されている。
【００１６】
図４〜６は、輸液チューブセット２１が装着されていない状態の輸液装置１１を示している。筐体１２の内面パネル６１の上端近傍には輸液チューブセット２１の位置決め具２５と係合する係合部６２が設けられており、この係合部６２の扉１５側の部分にはスリット６３が形成されている。係合部６２の下方に蠕動ポンプ６４の複数のフィンガ６５が縦長に配列されており、蠕動ポンプ６４の本体部（図示せず）や輸液装置１１全体の動作を制御する制御装置（図示せず）等が筐体１２内に収容されている。フィンガ６５の下方にフリーフロー防止部６６が設けられている。フリーフロー防止部６６には固定片６７と可動片６８とが備えられており、ばね（図示せず）等の付勢力によって通常では可動片６８が固定片６７に圧接している。
【００１７】
内面パネル６１のフリーフロー防止部６６の下方には、輸液チューブセット２１の位置決め具３１を受け入れる凹部７１が形成されている。凹部７１の奥から光センサ７２の操作片７３の一部が露出しており、操作片７３には凹部７４が設けられている。操作片７３は凹部７１内へ突出する方向へばね（図示せず）等で付勢されている。光センサ７２には発光用及び受光用の一対の光素子７５が備えられており、操作片７３はこれら一対の光素子７５同士の間を横断する方向に往復動可能である。凹部７１の奥から凹部７１内へ操作片７３の一部が突出している状態（図６）では、発光用の光素子７５から射出された光は操作片７３に遮られて受光用の光素子７５に入射しない。
【００１８】
しかし、凹部７１内から内面パネル６１の背面側つまり筐体１２の内部側へ操作片７３が付勢力に抗して押し込まれている状態（図３）では、発光用の光素子７５から射出された光は操作片７３の凹部７４内を通過して受光用の光素子７５に入射する。凹部７１の下方で内面パネル６１の下端近傍には気泡センサ７６が設けられている。以上の係合部６２から気泡センサ７６までが内面パネル６１上に直線状に配置されており、この直線上の内面パネル６１の表面には輸液チューブ２６、３２を受け入れるための溝７７が設けられている。フィンガ６５の一方の側方には、扉１５の開閉ラッチ機構のための係止部７８が設けられている。
【００１９】
一方、扉１５の内面８１の上端近傍には内面パネル６１の係合部６２を受け入れる凹部８２が設けられており、マイクロスイッチ８３の一部が凹部８２内に露出している。図５に示されている様に、扉１５が閉じられると、マイクロスイッチ８３は係合部６２のスリット６３内の上端近傍に位置する。凹部８２に接する扉１５の上部には、輸液チューブセット２１の位置決め具２５を受け入れる切り込み８４が設けられている。凹部８２の下方で且つ蠕動ポンプ６４のフィンガ６５に対向する位置には、金属製等の押え板８５が配置されている。
【００２０】
押え板８５の下方にはフリーフロー防止部６６を受け入れる凹部８６が設けられている。凹部８６内に突条部８７が形成されており、従ってこの突条部８７の部分では凹部８６が浅い。凹部８６の下方には凹部７１内に挿入されている状態の位置決め具３１を受け入れる凹部９１が設けられており、凹部９１に隣接して凸部９２が設けられている。凹部９１の下方で内面８１の下端近傍には、気泡センサ７６を受け入れる凹部９３が設けられている。押え板８５の一方の側方には扉１５の開閉ラッチ機構のためのラッチレバー９４が設けられており、押え板８５の他方の側方には扉１５の開放時に内面パネル６１等を照明するランプ９５が設けられている。
【００２１】
以上の様な輸液装置１１によって輸液を行うためには、まずラッチレバー１８を操作して扉１５のラッチを解除してから、図４に示されている様に扉１５を開ける。そして、図２に示されている様に、輸液チューブセット２１の位置決め具２５を内面パネル６１の係合部６２内へ上方から差し込む。更に、図１に示されている様に、輸液チューブ２６を、係合部６２のスリット６３と、蠕動ポンプ６４のフィンガ６５の前面と、フリーフロー防止部６６の固定片６７と可動片６８との先端部境界近傍とを通過させる。なお、この時点では、輸液チューブ２６は未だ図１に示されている様にはフリーフロー防止部６６の固定片６７と可動片６８とに挟持されていない。
【００２２】
次に、図３に示されている様に、輸液チューブセット２１の位置決め具３１を内面パネル６１の凹部７１内へ挿入する。この挿入によって、凹部７１内から内面パネル６１の背面側つまり筐体１２の内部側へ、位置決め具３１によって光センサ７２の操作片７３が付勢力に抗して押し込まれる。なお、以上の操作とは逆に、係合部６２内への位置決め具２５の差し込みよりも前に、位置決め具３１を凹部７１内へ挿入してもよい。また、位置決め具２５が係合部６２内へ差し込まれ且つ位置決め具３１が凹部７１内へ挿入されている状態では、輸液チューブ２６に僅かな張力が印加されている。
【００２３】
次に、輸液チューブ３２を気泡センサ７６に挟み込む。ここまでの操作で輸液チューブセット２１が輸液装置１１に装着されるので、扉１５を閉じ、扉１５の外面のラッチレバー１８を操作して扉１５をラッチする。図２に示されている様に、扉１５が閉じられると、位置決め具２５の鍔部４４がマイクロスイッチ８３を押圧して、このマイクロスイッチ８３を閉状態にする。また、扉１５が閉じられると、蠕動ポンプ６４の複数のフィンガ６５のうちの何れかが、輸液チューブ２６を押え板８５に押圧し、輸液チューブ２６を径方向に押しつぶすので、このフィンガ６５の部分が輸液チューブ２６中の輸液のフリーフローを防止している。
【００２４】
また、扉１５を閉じる操作に伴って、扉１５の内面８１の凹部８６内の突条部８７が、フリーフロー防止部６６の可動片６８を押圧し、可動片６８に印加されている付勢力に抗して可動片６８を固定片６７から離隔させる。輸液チューブセット２１が輸液装置１１に装着されていると、上述の様に輸液チューブ２６に僅かな張力が印加されているので、この張力のために輸液チューブ２６は離隔状態の固定片６７と可動片６８との間に嵌まり込む。この状態では、固定片６７と可動片６８とが互いに離隔しているので、輸液チューブ２６は径方向に押しつぶされておらず、フリーフロー防止部６６が輸液チューブ２６中の輸液のフリーフローを防止することはない。
【００２５】
但し、扉１５が開けられている状態で、手の指で可動片６８に押圧力を印加して可動片６８を固定片６７から離隔させることによって、離隔状態の固定片６７と可動片６８との間に輸液チューブ２６をその張力で嵌め込ませてもよい。この場合は、可動片６８から手の指を離して可動片６８に対する押圧力の印加を解除すると、可動片６８に印加されている付勢力のために可動片６８が固定片６７に接近して、輸液チューブ２６が径方向に押しつぶされる。しかし、その後に扉１５を閉じると、上述の様に突条部８７が可動片６８を固定片６７から離隔させるので、やはりフリーフロー防止部６６が輸液チューブ２６中の輸液のフリーフローを防止することはない。なお、離隔状態の固定片６７と可動片６８との間に輸液チューブ２６が嵌まり込んだ状態で輸液チューブ２６が規定張力の非弛緩状態になる様に、輸液チューブ２６の長さが選定されている。
【００２６】
更に、上述の扉１５を閉じる操作に伴って、扉１５の内面８１の凸部９２が、内面パネル６１の凹部７１内に挿入されている状態の位置決め具３１の摺動片５３を押圧し、内面パネル６１の四辺のうちで係止部７８が設けられている辺に接近する方向へ位置決め具３１の本体部５１、５２内で摺動片５３を摺動させる。この摺動によって、摺動片５３の円開口５８が輸液チューブ３２と同軸状になる。上述の様に摺動片５３の円開口５８の内径は輸液チューブ３２の外径よりもやや大きいので、この状態では輸液チューブ３２は径方向に押しつぶされておらず、位置決め具３１が輸液チューブ３２中の輸液のフリーフローを防止することはない。
【００２７】
輸液装置１１の扉１５を閉じると、次に、図７に示されている様に、扉１５の外面にある操作部１７のうちの輸液開始ボタンを押下する（Ｓ１）。輸液開始スイッチが押下されると、筐体１２内に収容されている制御装置が、マイクロスイッチ８３の開閉状態を調べることによって、輸液装置１１の内面パネル６１の係合部６２に位置決め具２５が正常に装着されているか否かつまり位置決め具２５が輸液チューブセット２１を位置決めしている状態にあるか否かを調べる（Ｓ２）。位置決め具２５が係合部６２に正常に装着されていれば、図２に示されている様に、位置決め具２５の鍔部４４がマイクロスイッチ８３を押圧して、このマイクロスイッチ８３が閉状態になっている。
【００２８】
しかし、輸液チューブセット２１が輸液装置１１に全く装着されていなかったり、例えば輸液チューブ２６が過度に伸長されて位置決め具２５の鍔部４２ではなくリブ付き部４５が扉１５の切り込み８４から外方に露出したりしていると、マイクロスイッチ８３が開状態のままである。従って、位置決め具２５が係合部６２に正常には装着されていないつまり位置決め具２５が輸液チューブセット２１を位置決めしている状態にはないと、制御装置が判断する。この場合は、位置決め具２５が係合部６２に正常に装着されるまで、扉１５の外面にある表示部１６に制御装置が警告を表示する（Ｓ３）。
【００２９】
位置決め具２５が係合部６２に正常に装着されていれば、制御装置は、次に、光センサ７２の受光状態を調べることによって、輸液装置１１の内面パネル６１の凹部７１に位置決め具３１が正常に装着されているか否かつまり位置決め具３１が輸液チューブセット２１を位置決めしている状態にあるか否かを調べる（Ｓ４）。位置決め具３１が凹部７１に正常に装着されていれば、図３に示されている様に、凹部７１内から内面パネル６１の背面側つまり筐体１２の内部側へ位置決め具３１が操作片７３を付勢力に抗して押し込んでおり、発光用の光素子７５から射出された光は操作片７３の凹部７４内を通過して受光用の光素子７５に入射している。
【００３０】
しかし、輸液チューブセット２１が輸液装置１１に全く装着されていなかったりすると、凹部７１の奥から凹部７１内へ操作片７３の一部が付勢力によって突出しており、発光用の光素子７５から射出された光は操作片７３に遮られて受光用の光素子７５に入射していない。従って、位置決め具３１が凹部７１に正常には装着されていないつまり位置決め具３１が輸液チューブセット２１を位置決めしている状態にはないと、制御装置が判断する。この場合は、位置決め具３１が凹部７１に正常に装着されるまで、扉１５の外面にある表示部１６に制御装置が警告を表示する（Ｓ５）。制御装置は、輸液チューブセット２１の位置決め具２５、３１が輸液装置１１に正常に装着されていると判断すると、蠕動ポンプ６４を始動させることによって輸液を開始する（Ｓ６）。
【００３１】
輸液の開始前には、上述の様に、蠕動ポンプ６４のフィンガ６５が輸液チューブ２６中の輸液のフリーフローを防止しているが、フリーフロー防止部６６は輸液チューブ２６中の輸液のフリーフローを防止しておらず、位置決め具３１も輸液チューブ３２中の輸液のフリーフローを防止していない。従って、蠕動ポンプ６４が始動すると、蠕動ポンプ６４のフィンガ６５から輸液チューブ２６が所定流量のポンプ作用を施される。つまり、輸液チューブセット２１のうちで輸液チューブ２６が蠕動ポンプ６４に対する被作用部分になっている。
【００３２】
輸液の終了後や一時停止後等に輸液装置１１から輸液チューブセット２１を取り外すためには、まずラッチレバー１８を操作して扉１５のラッチを解除してから、図１に示されている様に扉１５を開ける。扉１５が開けられると、蠕動ポンプ６４の複数のフィンガ６５の何れもが、輸液チューブ２６を押え板８５に押圧しなくなるので、輸液チューブ２６を径方向に押しつぶさず、蠕動ポンプ６４は輸液チューブ２６中の輸液のフリーフローを防止しない。
【００３３】
しかし、扉１５を開ける操作に伴って、扉１５の内面８１における凹部８６内の突条部８７が、フリーフロー防止部６６の可動片６８から離隔して、可動片６８に対する押圧力の印加を解除する。このため、可動片６８に印加されている付勢力のために可動片６８が固定片６７に接近して、輸液チューブ２６が径方向に押しつぶされる。図１はこの状態を示しており、フリーフロー防止部６６が輸液チューブ２６中の輸液のフリーフローを防止している。
【００３４】
次に、位置決め具３１の本体部５２と摺動片５３とを夫々一方の手の親指と人指し指とで挟持し、その後に他方の手の指でフリーフロー防止部６６の可動片６８に押圧力を印加して可動片６８を固定片６７から離隔させ、この状態で位置決め具３１を筐体１２の内面パネル６１の凹部７１内から引き抜くと共に固定片６７と可動片６８との間から輸液チューブ２６を引き出す。但し、可動片６８を固定片６７から離隔させることなく位置決め具３１を凹部７１内から引き抜き、この引き抜きに伴う輸液チューブ２６から可動片６８への押圧力で可動片６８を固定片６７から離隔させて、これらの間から輸液チューブ２６を引き出すこともできる。
【００３５】
位置決め具３１の本体部５２と摺動片５３とを夫々一方の手の親指と人指し指とで挟持すると、内面パネル６１の四辺のうちで係止部７８が設けられている辺から離隔する方向へ位置決め具３１の本体部５１、５２内で摺動片５３が摺動する。この摺動によって、摺動片５３の溝開口５９が輸液チューブ３２の位置に来て輸液チューブ３２を径方向に押しつぶし、位置決め具３１が輸液チューブ３２中の輸液のフリーフローを防止する。つまり、他方の手でフリーフロー防止部６６の可動片６８に押圧力を印加して可動片６８を固定片６７から離隔させた時点でフリーフロー防止部６６は輸液チューブ２６中の輸液のフリーフローを防止しなくなるが、この時には既に位置決め具３１が輸液チューブ３２中の輸液のフリーフローを防止している。
【００３６】
従って、位置決め具３１を筐体１２の内面パネル６１の凹部７１内から引き抜くと共に固定片６７と可動片６８との間から輸液チューブ２６を引き出しても、輸液チューブセット２１の全体ではフリーフローが生じない。次に、位置決め具２５を係合部６２から上方に引き抜く。なお、輸液装置１１に輸液チューブセット２１を装着するときと同様に、以上の操作とは逆に、位置決め具３１を凹部７１内から引き抜くと共に固定片６７と可動片６８との間から輸液チューブ２６を引き出すよりも前に、位置決め具２５を係合部６２から引き抜いてもよい。
【００３７】
なお、以上の一実施形態の輸液装置１１では輸液ポンプとして蠕動ポンプ６４が用いられているが、蠕動ポンプ６４以外の輸液ポンプが用いられてもよい。また、位置決め具２５、３１の装着がマイクロスイッチ８３及び光センサ７２によって検出されているが、これら以外の他の検出手段が用いられてもよい。更に、位置決め具２５、３１が正常に装着されていない場合の警告を表示部１６に表示しているが、光や音等を発する手段によって警告が行われてもよい。
【産業上の利用可能性】
【００３８】
本発明は、輸液チューブのうちで輸液ポンプに沿って延在する被作用部分に輸液ポンプがポンプ作用を施して輸液を行う輸液装置の製造等に利用することができる。
【図面の簡単な説明】
【００３９】
【図１】輸液チューブセットが装着されていて扉が開けられている状態にある本発明の一実施形態の全体の斜視図である。
【図２】輸液チューブセットが装着されていて扉が閉じられている状態にある本発明の一実施形態の扉の上端部近傍の断面図である。
【図３】輸液チューブセットが装着されていて扉が閉じられている状態にある本発明の一実施形態の扉の下端部近傍の断面図である。
【図４】輸液チューブセットが装着されていなくて扉が開けられている状態にある本発明の一実施形態の全体の斜視図である。
【図５】輸液チューブセットが装着されていなくて扉が閉じられている状態にある本発明の一実施形態の扉の上端部近傍の断面図である。
【図６】輸液チューブセットが装着されていなくて扉が閉じられている状態にある本発明の一実施形態の扉の下端部近傍の断面図である。
【図７】本発明の一実施形態における動作の流れ図である。
【図８】輸液チューブセットが装着されていて扉が閉じられている状態にある本発明の一実施形態の全体の斜視図である。
【図９】本発明の一実施形態における輸液チューブセットの全体の斜視図である。
【符号の説明】
【００４０】
１１    輸液装置
１６    表示部（警告手段）
２１    輸液チューブセット（輸液チューブ）
２５    位置決め具（第一の部分、第一の位置決め手段）
２６    輸液チューブ（被作用部分）
３１    位置決め具（第二の位置決め手段）
５４    接続筒（第二の部分）
６２    係合部（第一の位置）
６４    蠕動ポンプ（輸液ポンプ）
７１    凹部（第二の位置）
７２    光センサ（第二の検出手段）
８３    マイクロスイッチ（第一の検出手段）
【図１】
2007236597.tif 000003
【図２】
2007236597.tif 000004
【図３】
2007236597.tif 000005
【図４】
2007236597.tif 000006
【図５】
2007236597.tif 000007
【図６】
2007236597.tif 000008
【図７】
2007236597.tif 000009
【図８】
2007236597.tif 000010
【図９】
2007236597.tif 000011